(57)【要約】【課題】  カメラ全体の大きさを増加させることなく、電源回路等からのノイズに強い撮像装置を提供する。【解決手段】  撮像信号処理回路基板（３９）と電源回路基板（４７）との間に、ミラーボックス（５）を保持するメインシャーシ（３７）を配置する。【選択図】  図４
2005057656.tif 000002
【特許請求の範囲】
【請求項１】
被写体像を電気信号に変換する撮像素子と、該撮像素子より出力される画像データを記録媒体に記録する記録手段とを備えた撮像装置であって、
前記撮像素子の撮像面までの撮影光路の少なくとも一部を囲む遮光部材と、該遮光部材を保持するメインシャーシと、前記撮像素子から出力される電気信号を処理する回路を実装した撮像信号処理回路基板と、撮像装置に電源を供給する電源回路基板を備え、前記撮像信号処理回路基板と前記電源回路基板の間に前記メインシャーシを配置したことを特徴とする撮像装置。
【請求項２】
前記メインシャーシは、前記撮像素子の撮像面と略平行に配置された金属プレートから成ることを特徴とする請求項１に記載の撮像装置。
【請求項３】
前記メインシャーシを間にはさんだ前方に電源回路基板、後方に撮像信号処理回路基板を配置したことを特徴とする請求項１または２に記載の撮像装置。
【請求項４】
前記メインシャーシは、前記撮像素子の撮像面まで導かれる光軸と略平行に配置された金属プレートから成ることを特徴とする請求項１に記載の撮像装置。
【請求項５】
被写体像を電気信号に変換する撮像素子と、該撮像素子より出力される画像データを記録媒体に記録する記録手段と、ストロボとを備えた撮像装置であって、
前記撮像素子の撮像面までの撮影光路の少なくとも一部を囲む遮光部材と、該遮光部材を保持するメインシャーシと、前記撮像素子から出力される電気信号を処理する回路を実装した撮像信号処理回路基板と、前記ストロボを発光させるための充電及び発光制御を行うストロボ回路基板を備え、前記撮像信号処理回路基板とストロボ回路基板の間に前記メインシャーシを配置したことを特徴とする撮像装置。
【請求項６】
前記メインシャーシは、前記撮像素子の撮像面と略平行に配置された金属プレートから成ることを特徴とする請求項５に記載の撮像装置。
【請求項７】
前記メインシャーシを間にはさんだ前方にストロボ回路基板、後方に撮像信号処理回路基板を配置したことを特徴とする請求項５または６に記載の撮像装置。
【請求項８】
前記メインシャーシは、前記撮像素子の撮像面まで導かれる光軸と略平行に配置された金属プレートから成ることを特徴とする請求項５に記載の撮像装置。
【請求項９】
被写体像を電気信号に変換する撮像素子と、該撮像素子より出力される画像データを記録媒体に記録する記録手段とを備えた撮像装置であって、
前記撮像素子の撮像面までの撮影光路の少なくとも一部を囲む遮光部材と、該遮光部材を保持する金属プレートから成るメインシャーシと、前記撮像素子から出力される電気信号を処理する回路を実装した撮像信号処理回路基板と、駆動機構の駆動源となるモータを備え、前記撮像信号処理回路基板と前記モータの間に前記メインシャーシを配置したことを特徴とする撮像装置。
【請求項１０】
前記遮光部材は、撮影光路をファインダへ導くためのミラーを所定傾斜角度に保持するミラーボックスであることを特徴とする請求項１から９のいずれかに記載の撮像装置。
【請求項１１】
前記遮光部材は、撮影レンズを保持する鏡筒であることを特徴とする請求項１から９のいずれかに記載の撮像装置。
【発明の詳細な説明】
【技術分野】
【０００１】
本発明は、被写体像を電気信号に変換する撮像素子と、該撮像素子より出力される画像データを記録媒体に記録する記録手段を備えた電子カメラ等の撮像装置に係り、特に撮像信号処理回路基板を含む電気回路基板の配置に関するものである。
【背景技術】
【０００２】
従来、撮影レンズから入射された被写体像をＣＣＤ等の撮像素子により光電変換し、この光電変換された画像信号をＡ／Ｄ変換して記録媒体に記録し、更に内蔵の液晶モニタで画像の表示が可能な電子カメラが一般的に知られている。最近、このような電子カメラの一種として撮影レンズが交換可能な一眼レフレックス電子スチルカメラも市場に出現し始めている。
【０００３】
一眼レフレックス電子スチルカメラにおいても、従来の銀塩フィルムカメラと同様に小型で、良好な操作性および高速連写性能などが要求されている。電子カメラにおいては、画像データを一旦バッファメモリ（揮発性メモリ）に記憶し、その後、コンパクトフラッシュ（登録商標）カード（ＣＦカード）等の記録媒体へ転送して保存記録する。このため銀塩フィルムカメラと比較して、撮像回路、画像処理回路および画像表示回路など多くの電気部品を使用した大規模な電気回路が付加されている。
【０００４】
特にレンズ鏡筒がカメラより着脱可能な一眼レフレックス電子カメラでは、撮影できる画像が高画質であること、撮影できる被写体輝度範囲が広いことなどが要求される。このため画素数が多くかつ感度の高い撮像素子の採用が必要となっている。従って撮像面積の大きな撮像素子が使用され、必然的に撮像素子が接続される基板の面積も大きなものとなる。従って複数の基板配置が難しく、カメラの小型化を図って良好な操作性を達成することが極めて困難となっている。
【０００５】
図６および図７は、従来例として一眼レフレックス電子カメラの一例を示している（例えば、特許文献１参照）。図において、１０１はカメラ筐体であり、前方に突出したグリップ部１０１ａの内部に電池１０２を配置している。１０３は交換可能なレンズ鏡筒であり、撮影レンズ１０４を保持している。１０５はミラーボックスであり、マウント部１０５ａでレンズ鏡筒１０３と連結される。また、ミラーボックス１０５の内部には、撮影レンズ１０４を通った光をファインダ接眼部へ導くため光軸Ｌ０に対して４５°の角度に保持されるクイックリターンミラー１０６を備え、その後方にフォーカルプレーンシャッタ１０７を備えている。１０８はペンタプリズム、１０９は被写体像を観察するためのファインダ接眼レンズ群である。
【０００６】
１１０はフロントシャーシで、ミラーボックス１０５を保持している。１１１はリアシャーシで、フロントシャーシ１１０とビス等で締結され、二つのシャーシを合体してカメラ全体の強度を保っている。
【０００７】
１１２はフォーカルプレーンシャッタ１０７の後方で光軸Ｌ０に対して垂直な面を撮像面とする撮像素子であり、撮像素子１１２が接続されている撮像回路基板１１３は、図示のように撮像面と平行に配置されている。撮像回路基板１１３の後方に第１回路基板１１４、前方には第２回路基板１１５、第３回路基板１１６が配置されている。第１回路基板１１４には、例えば機構駆動制御回路、画像処理回路、画像表示回路などが搭載されている。第２回路基板１１５には電源回路、第３回路基板１１６にはストロボ回路などが搭載されている。第１回路基板１１４の更に後方には、照明用光源１１７と液晶表示部１１８が配置されている。１１９は外部記録媒体であるメモリカードおよびカードコネクタが配置されるスペースであり、第１回路基板１１４に沿って電池１０２との間に設けられている。
【特許文献１】特開２００２−１３５６３１号公報
【発明の開示】
【発明が解決しようとする課題】
【０００８】
上述した電子カメラでは、撮像素子１１０が接続された撮像回路基板１１３、第１回路基板１１４、第２回路基板１１５、第３回路基板１１６がフロントシャーシ１１０とリアシャーシ１１１の間に接近して配置されているので、特に電源回路やストロボ回路に搭載した昇圧トランスなどから発生するノイズが他の基板上の回路に影響を及ぼしていた。また、フロントシャーシ１１０とリアシャーシ１１１の存在によって、カメラ全体の厚みが増大していた。従ってカメラが大きくなり、撮影時に安定して把持することが困難な形態となっていた。
【０００９】
本発明はかかる実情に鑑み、撮像装置内の回路基板を最適に配置することにより、電源回路からのノイズに強く、撮影された画像の質を良好に保つことができる電子カメラ等の撮像装置を小型で操作性に優れた状態で提供することを目的とする。
【課題を解決するための手段】
【００１０】
上記課題を解決するために、本願発明は、被写体像を電気信号に変換する撮像素子と、撮像素子より出力される画像データを記録媒体に記録する記録手段とを備えた撮像装置であって、撮像素子の撮像面までの撮影光路の少なくとも一部を囲む遮光部材と、遮光部材を保持するメインシャーシと、撮像素子から出力される電気信号を処理する回路を実装した撮像信号処理回路基板と、撮像装置に電源を供給する電源回路基板を備え、撮像信号処理回路基板と電源回路基板の間にメインシャーシを配置したことを特徴とするものである。
【００１１】
また、上記課題を解決するために、本願発明は、被写体像を電気信号に変換する撮像素子と、撮像素子より出力される画像データを記録媒体に記録する記録手段と、ストロボとを備えた撮像装置であって、撮像素子の撮像面までの撮影光路の少なくとも一部を囲む遮光部材と、遮光部材を保持するメインシャーシと、撮像素子から出力される電気信号を処理する回路を実装した撮像信号処理回路基板と、ストロボを発光させるための充電及び発光制御を行うストロボ回路基板を備え、撮像信号処理回路基板とストロボ回路基板の間にメインシャーシを配置したことを特徴とする。
【００１２】
また、上記課題を解決するために、本願発明は、被写体像を電気信号に変換する撮像素子と、撮像素子より出力される画像データを記録媒体に記録する記録手段とを備えた撮像装置であって、撮像素子の撮像面までの撮影光路の少なくとも一部を囲む遮光部材と、遮光部材を保持する金属プレートから成るメインシャーシと、撮像素子から出力される電気信号を処理する回路を実装した撮像信号処理回路基板と、駆動機構の駆動源となるモータを備え、撮像信号処理回路基板とモータの間にメインシャーシを配置したことを特徴とする。
【発明の効果】
【００１３】
本発明によれば、撮像素子から出力される電気信号を処理する回路を実装した撮像信号処理回路基板と、撮像装置に電源を供給する電源回路基板との間に金属プレートから成るメインシャーシを配置するので、撮像装置全体の厚み寸法の増加を抑えつつ、電源回路から発せられるノイズの影響を撮像信号処理回路へ及ぼすことがなく、撮影された画像の質を良好に保つことができる。
【００１４】
また、撮像素子から出力される電気信号を処理する回路を実装した撮像信号処理回路基板と、ストロボを発光させるための充電及び発光制御を行うストロボ回路基板との間に金属プレートから成るメインシャーシを配置するので、撮像装置全体の厚み寸法の増加を抑えつつ、ストロボ回路から発せられる充電ノイズの影響を撮像信号処理回路へ及ぼすことがないため、ストロボ充電中にも画像データの読み出し動作を並行して行えて、データ処理速度の速い撮像装置を提供できる。
【００１５】
また、撮像素子から出力される電気信号を処理する回路を実装した撮像信号処理回路基板と、駆動機構の駆動源であるモータとの間に金属プレートから成るメインシャーシを配置するので、モータから発せられるノイズの影響を撮像信号処理回路へ及ぼすことがなく、撮影された画像の質を良好に保つことができると共に、モータ駆動中にも画像データの読み出し動作を並行して行える。
【発明を実施するための最良の形態】
【００１６】
以下、本発明の好適な実施例について図面を用いて詳細に説明する。
【００１７】
図１〜図５により本発明を適用した撮像装置について、この実施例では一眼レフレックス電子スチルカメラを例にして説明する。図１および図２は一眼レフレックス電子スチルカメラの外観図を示し、図１はカメラ前方より見た斜視図であり、レンズ鏡筒を外した状態を示す。図２はカメラ背面側より見た斜視図である。
【００１８】
先ず、図１と図２を参照して外観される部分について説明する。１はカメラ筐体であり、撮影時に使用者がカメラを安定して握り易いように前方に突出したグリップ部１ａが設けられている。２はマウント部であり、着脱可能なレンズ鏡筒３（図４および図５参照）がカメラ本体に取り付けられる部位である。４はレンズ鏡筒３を取り外す際に押し込むレンズロック解除釦である。５はカメラ筐体内に配置されたミラーボックスで、撮影レンズを通ってきた光束を囲むように形成されており、外部からの光がこの撮影レンズを通ってきた光束に差し込まないように遮光する役目を有している。また、撮影レンズを通った光をファインダへ導くため４５度の角度に保持されるクイックリターンミラー６を内蔵している。
【００１９】
カメラ上部（正面より見て）左方には、撮影開始の起動スイッチとしてのシャッタボタン７と、撮影時の動作モードに応じてシャッタスピードやレンズ絞り値を設定するメイン操作ダイヤル８と、カメラの各動作モードを示すＬＣＤ表示パネル９と、撮影系の上面動作モード設定ボタン１０が配置されている。上面動作モード設定ボタン１０は、シャッタボタン７の１回の押込みで連写になるか１コマのみの撮影となるかの設定やセルフ撮影モードの設定などを行うものであり、ＬＣＤ表示パネル９にその設定状況が表示されるようになっている。
【００２０】
カメラ上部中央には、カメラ本体に対してポップアップするストロボユニット１１とフラッシュ取付け用のシュー溝１２とフラッシュ接点１３があり、カメラ上部右よりには撮影モード設定ダイヤル１４が配置されている。
【００２１】
カメラ右側面には、開閉可能な外部端子蓋１５が設けられていて、この蓋１５を開けた内部には外部インターフェイスとしてビデオ信号出力用ジャック１６とＵＳＢ出力用コネクタ１７が納められている。
【００２２】
カメラ背面には、光軸中心上の上方にファインダ接眼窓１８が設けられ、更にカメラ背面中央には画像表示可能なカラー液晶表示部１９が設けられている。カラー液晶表示部１９の横に配置されたサブ操作ダイヤル２０は、メイン操作ダイヤル８の機能の補助的役割を担い、例えばカメラのＡＥモードでは自動露出装置により算出された適正露出値に対する露出補正量を設定するために使用される。あるいはまた、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定する。また、このサブ操作ダイヤル２０は、カラー液晶表示部１９に表示される撮影済み画像の表示選択手段としても用いられる。
【００２３】
２１は背面動作モード設定ボタンであり、ＡＥロック設定などを設定することができ、上面動作モード設定ボタン１０と同様にＬＣＤ表示パネル９にその設定状況が表示されるようになっている。２２はカメラの電源投入を行うためのメイン電源スイッチであり、所定角度回転させることでスイッチのＯＮ、ＯＦＦを切り替える。カラー液晶表示部１９の背面より見て左わきに整列した押しボタンスイッチ２３は、カラー液晶操作スイッチでカメラの各種設定を行うためのメニュー表示や撮影済み画像の表示方法の変更などを行える。２４は一旦記録媒体に記録された画像データを消去するための消去ボタンであり、誤って押し込んでしまうことがないようにＬＣＤ操作スイッチ２４から離れて配置されている。
【００２４】
２５は後述する外部記録媒体であるメモリカードの挿入口を覆うための開閉可能なカード蓋であり、少量のスライド移動に加えて回動することが可能に支持されている。２６は電池蓋であり、電池をカメラの底面より挿抜できるように回動可能に支持されている。２７はカメラ底面に設けられた三脚取付け用ネジである。
【００２５】
次に、図３〜図５を参照してカメラ内部の光学部材、電池収納室、回路基板、メモリカード装着部などの各構成部材の配置および作用等について説明する。図３はカメラ背面の筐体を切断して内部を表す背面図、図４は図３のＡ−Ａ線に沿って切断した断面図、図５は図３のＢ−Ｂ線に沿って切断したレンズ光軸を含む垂直断面図であり、ストロボをポップアップさせた状態を示している。
【００２６】
これらの図において、３はカメラ本体より着脱可能なレンズ鏡筒であり、撮影レンズ３０を保持している。カメラ筐体１の前方に突出したグリップ部１ａの内部には、電源である電池３１が配置されている。３２はフォーカルプレーンシャッタであり、クイックリターンミラー６の後方に配置され、ミラーボックス５に保持される。
【００２７】
３３はペンタプリズム、３４は被写体像を観察するためのファインダ接眼レンズ群である。３５はフォーカルプレーンシャッタ３２の後方において光軸Ｌに対して垂直な面を撮像面とする撮像素子であり、被写体画像を電気撮像信号に変換する。撮像素子３５の直前には撮像面と平行に光学フィルタ３６が配置される。撮像素子３５の撮像面と光学フィルタ３６の間にゴミ等が進入することのないように密閉されたユニットを構成している。撮像素子３５はそのパッケージ外形に対する撮像面、即ちセンサチップ面の位置と傾きについてばらつきがあるため、カメラを量産する工程上、撮影レンズとセンサチップ面との相関位置を合わせ込むための調整が必要となっており、この位置調整を行った上で撮像素子ユニットはミラーボックス５に取り付けられている。
【００２８】
３７は金属板を加工したメインシャーシで、撮像素子３５の撮像面と平行に配置されている。
【００２９】
このメインシャーシ３７は、ミラーボックス５とビス等で強固に締結されており、ミラーボックス５と共にカメラ本体の全体的な強度を確保する骨組みを成している。また、カメラ底面部にはメインシャーシ３７の一部を前方へ曲げた部位３７ａを有し、三脚取付けネジ２７が固定されている。
【００３０】
３８はモータであり、フォーカルプレーンシャッタ３２のチャージやクイックリターンミラーのアップダウン動作及びストロボのポップアップ動作の駆動源であり、ミラーボックス５に保持されている。
【００３１】
３９は撮像信号処理回路基板であり、撮像素子３５が接続され、図に示すように撮像面と平行に配置されている。撮像信号処理回路基板３９には、撮像素子３５の出力信号をサンプリングして増幅し、Ａ／Ｄ変換する電気回路、ホワイトバランス、露出調整、ガンマ補正等の画像信号に所定の処理を施す電気回路、デジタル画像信号を内部メモリへ格納あるいは読み出し動作を制御するメモリコントロール回路、更にはカメラ全体のシステムコントロールを行う電気回路が組み込まれている。
【００３２】
４０は第２回路基板である画像表示回路基板であり、撮像信号処理回路基板３９と略同一平面内においてカメラの左側（グリップ１ａと反対の側）に配置されている。画像表示回路基板４０には、後述するカラー液晶モニタ４１のドライバ回路が組み込まれていて、映像出力信号がカラー液晶モニタ４１に送られ、モニタ上の画面に撮影された画像を再生する。また、更に図１において説明した外部インターフェイスとしてのビデオ信号出力用ジャック１６とＵＳＢ出力用コネクタ１７が実装されていて、デジタル画像信号をビデオ信号に変換するビデオエンコーダ等の回路と外部インターフェイスバスが配線されている。
【００３３】
撮像信号処理回路基板３９の後方には、カラー液晶表示部１９が配置されている。カラー液晶表示部１９は、照明用光源４２とカラー液晶モニタ４１と筐体１の開口窓から構成されている。照明用光源４１とカラー液晶モニタ４２とは、板金ケース４３に収納されている。
【００３４】
４４はストロボ回路基板であり、ミラーボックス５の左側方において撮像信号処理回路基板３９と平行に配置されている。ストロボ回路基板４４には充電用のメインコンデンサ４５が接続されており、このメインコンデンサ４５への充電制御やストロボユニット１１内の発光部４６の制御を行う回路が組み込まれている。
【００３５】
４７は電源回路基板であり、グリップ１ａ寄りに電源電池３１と並んで配置されている。電源回路基板４７にはＤＣ／ＤＣコンバータ回路が構成され、電源電池３１からの出力電圧を各回路に応じた供給電圧に変換する。
【００３６】
４８は外部表示用ＬＣＤであり、グリップ１ａ寄りの上方において筐体１の外観面に沿って配置されている。外部表示用ＬＣＤ４８には、シャッタスピードやレンズ絞り値、撮影枚数、その他カメラに設定した動作モードの状況や電池容量の残量などを表示する。
【００３７】
４９は外部記録媒体であるメモリカード、５０はメモリカード４９が接続されるカードコネクタであり、撮像信号処理回路基板３９に沿ってメインシャーシ３７との間に設けられている。メモリカード４９の挿抜は、カード蓋２５を光軸に沿ってカメラ後方へ引いてからヒンジ２５ａを回動中心として反時計方向へ（図４参照）回転させて開き、カメラのグリップ側側面より行えるようになっている。
【００３８】
次に、各基板とメインシャーシとの位置関係および各基板間の接続状態について説明する。
【００３９】
光軸に垂直な撮像信号処理回路基板３９と画像表示回路基板４０とは略同一平面内に配置されていて、撮像信号処理回路基板３９上に実装されたコネクタ５１と画像表示回路基板４０上に実装されたコネクタ５２との間をフレキシブルプリント配線板６０により接続している。また、画像表示回路基板４０上にはコネクタ５３が実装されていて、カラー液晶モニタ４２とフレキシブルプリント配線板６１により接続されている。
【００４０】
撮像素子３５が接続された撮像信号処理回路基板３９と画像表示回路基板４０とは、ともにメインシャーシ３７の後方に略平行に配置されている。この位置が最も基板面積をまとまって確保できる位置であり、大規模な電気回路から成る撮像信号処理回路を配置するのに適している。
【００４１】
ストロボ回路基板４４は撮像信号処理回路基板３９と平行に配置され、メインシャーシ３７の前方に配置されている。
【００４２】
電源回路基板４７は撮像信号処理回路基板３９と垂直に配置され、メインシャーシ３７の前方に配置されている。また、ストロボ回路基板４４と電源回路基板４７はミラーボックス５を間にはさんで隔てて配置されている。
【００４３】
このように撮像信号処理回路基板３９と画像表示回路基板４０を、メインシャーシ３７を挟んで、電源回路基板４７とストロボ回路基板４４の反対側に配置することにより、従来各基板を覆っていたようなシールドケースを用いなくとも、ストロボ回路基板４４や電源回路基板４７から発生するノイズが撮像信号処理回路基板３９上の回路に飛び込んで撮像信号に影響を与え、画質を悪化させることのないようにできる。
【００４４】
また更に、上記に説明したように撮像信号処理回路基板３９と画像表示回路基板４０を、メインシャーシ３７を挟んで、モータ３８の反対側に配置することにより、モータ３８が駆動中に発生するノイズが撮像信号に飛び込んで、撮影された画像に悪影響がでてしまうことのないようにできる。
【００４５】
次に、以上のように構成された本実施例における電子カメラにおける撮像および画像再生等の動作について説明する。
【００４６】
撮影待機状態においては、ミラーボックス５内のクイックリターンミラー６は光軸Ｌに対して４５度の角度に保持されている。そして、撮影レンズ３０を通った光を反射してペンタプリズム３３へ導き、更にファインダ接眼レンズ群３４よりファインダ接眼窓１８へ導かれて、使用者が被写体像を観察できるようになっている。この時、フォーカルプレーンシャッタ３２は閉じられている。
【００４７】
使用者がシャッタボタン７を押して撮影が開始されると、所定の制御に従ってＡＦおよびＡＥ動作に続いてモータ（図示せず）を駆動源としてクイックリターンミラー６はヒンジを中心に上方へ回動する。その後フォーカルプレーンシャッタ３２が開いて撮影レンズ３０を通った光を撮像素子３５へ導くことで露光される。ここまでの機構部品の動作については、従来の銀塩フィルムを使った一眼レフレックスカメラと同様の動作である。
【００４８】
撮影レンズ３０を通して取り込まれた被写体像は、撮像素子３５によって電気撮像信号に変換される。その後増幅およびＡ／Ｄ変換されて、撮像信号処理回路基板３９へ送られる。そして、ホワイトバランス、露出調整、ガンマ補正等の画像信号に所定の処理を経て内部メモリあるいはメモリカード４９に画像データが記録される。
【００４９】
撮影後の画像再生動作として、メモリカード４９に記録済みの画像データをカラー液晶モニタ４２に表示することができる。また、メモリカード４９に記録済みの画像データは、ビデオエンコーダでビデオ信号に変換されて出力される。あるいはデジタルインタフェースによりＵＳＢ規格に沿ったデジタル信号として出力されて、それぞれ応じたビデオ信号出力用ジャック１６とＵＳＢ出力用コネクタ１７を介してテレビモニタやパソコンへ送ることができる。
【００５０】
上記した実施例では、メインシャーシを撮像面に平行なもので説明したが、この配置に限るものではなく、メインシャーシを撮像面に対して垂直且つカメラ底面に対して水平に配置して、メインシャーシをはさんでカメラ上方に電源回路基板、カメラ下方に撮像信号処理回路基板を配置したものであってもよい。
【００５１】
また、上記した実施例では、撮像素子の撮像面までの撮影光路を囲む遮光部材としてミラーボックスを用いて説明したが、これに限るものではなく、撮影レンズを保持する鏡筒、特に光軸方向にレンズ枠を移動するタイプのレンズ鏡筒における固定筒をメインシャーシと結合してカメラ全体の骨組みを構成したものであってもよい。
【図面の簡単な説明】
【００５２】
【図１】本発明の実施例における電子カメラの前方より見た外観斜視図である。
【図２】本発明の実施例における電子カメラの背面側より見た外観斜視図である。
【図３】本発明の実施例における同電子カメラの一部断面で示す背面図である。
【図４】図３のＡ−Ａ線に沿って切断した断面図である。
【図５】図３のＢ−Ｂ線に沿って切断した断面図である。
【図６】従来例としての電子カメラを示す水平断面図である。
【図７】図６に示した従来例の電子カメラを示す垂直断面図である。
【符号の説明】
【００５３】
１  カメラ筐体
２  マウント
３  レンズ鏡筒
５  ミラーボックス
１６  ビデオ信号出力用ジャック
１７  ＵＳＢ出力用コネクタ
３１  電池
３２  フォーカルプレーンシャッタ
３５  撮像素子
３７  メインシャーシ
３８  モータ
３９  撮像信号処理回路基板
４０  画像表示回路基板
４１  カラー液晶モニタ
４２  照明用光源
４４  ストロボ回路基板
４７  電源回路基板
４８  外部表示用ＬＣＤ
４９  メモリカード
５０  カードコネクタ
【図１】
2005057656.tif 000003
【図２】
2005057656.tif 000004
【図３】
2005057656.tif 000005
【図４】
2005057656.tif 000006
【図５】
2005057656.tif 000007
【図６】
2005057656.tif 000008
【図７】
2005057656.tif 000009